(57)【要約】【課題】宅内用内副管付合成樹脂製排水ますの排水をます上流側に逆流させない。【解決手段】開蓋時に着脱できる内副管２２の下端側に略９０°エルボ２５を設け、この略９０°エルボ２５を、上向き接続部と外曲面２８はあるが、横向き接続部と内面曲がなく、その代り、横向き開口部２６のある形状にし、この開口部２６の下端を内副管２２の内径側に位置させて、平面視で楕円状の排水落下穴を構成し、この穴の短径を内副管２２の径に対し、約３割以下とし、かつ、開口部２６の下端の傾きを１０°〜３０°にすると内副管２２を流下する排水は、該排水ます１のインバ−ト７の上流側へ逆流しない。【選択図】図２
2006144254.tif 000002
【特許請求の範囲】
【請求項１】
宅内用内副管付合成樹脂製排水ますにあって、
該内副管の下端に、宅内排水管の下流側に向けた略９０°エルボを設け、
該エルボを、上向き接続部と外曲面とがあり、かつ、横向き接続部と内曲面とがなく、その代り、横向き開口部を形成した形状とし、
該開口部の下端を該内副管の内径側に位置させて平面視で略新月状ないし楕円状の排水落下穴を形成し、該穴の短径ｄ1 を該内副管の径ｄ0 に対し、約０．３×ｄ0 以下にすること、
および／または、
前記開口部の下端を、その内面の接線Ｑの傾きθを約１０°ないし約３０°にすること、を特徴とする内副管付合成樹脂製排水ます。
【発明の詳細な説明】
【技術分野】
【０００１】
本発明は、宅内の内副管付合成樹脂製排水ますに関するものである。
【背景技術】
【０００２】
一般に、流入管と流出管との段差が６０ｃｍ以上あるマンホ−ルには副管を設けている。この副管は、一般的にはマンホ−ルの外側に設置するが、段差（落差）が特に大きい場合や外側に設置困難な場合、例えば狭小地の場合には内側に設置する。
【０００３】
かかる人の出入可能な内副管付コンクリ−ト製マンホ−ルに代り、人の出入不可の小口径の内副管付合成樹脂製マンホ−ルが知られている（特許文献１）。
【０００４】
そして、本出願人は、集合一括排水設備と、宅内の屋外排水主管とを段差接合するために内副管付合成樹脂製排水ますを提案している（特許文献２）。
【０００５】
一方周知のように、エルボとは、曲り部分に用いられる部品であるが、排水設備用の９０°エルボとは、曲率半径が比較的小さいものを指し、その管軸を通る断面で弯曲した内曲面のない９０°エルボ（ＤＬ）と管軸断面で弯曲した内曲面及び弯曲した外曲面のある９０°大曲りエルボ（ＬＬ）とが規定されており（ＪＩＳＫ６７３９）、固形物の多い汚水設備では大曲り形状を採用している。
【０００６】
したがって、特許文献１に示す内副管の下端の案内管は、９０°大曲りエルボを切管したような形状のもの（以下、略９０°大曲りエルボという）に属し、特許文献２に示す内副管の下端のＵタ−ン助勢案内部材は、９０°エルボを切管したような形状のもの（以下、略９０°エルボという）に属する、ということができる。
【特許文献１】特開平８−１０９６４７号公報
【特許文献２】特開２００４−２７８０９５号公報
【発明の開示】
【発明が解決しようとする課題】
【０００７】
ところが、特許文献２に示す内副管の下端のＵタ−ン助勢案内部材、すなわち、略９０°エルボでは、満管流は勿論、半管流の場合でも、その排水の一部が宅内屋外排水主管の上流側に逆流する、という問題が意外にもその後、発見された。
【０００８】
なお、特許文献１に示す内副管の下端の略９０°大曲りエルボでは、小口径化した宅内排水ますには、大曲り形状故（大形化故）、開蓋時に取出し自在に構成したものには適用しにくく採用できない。
【課題を解決するための手段】
【０００９】
そこで本発明は、逆流防止の目標を本出願人提案の略９０°エルボにおいて、解決するため創作されたもので、その要旨とするところは、宅内用内副管付合成樹脂製排水ますにあって、該内副管の下端に、宅内排水管の下流側に向けた略９０°エルボを設け、該エルボを、上向き接続部と外曲面とがあり、かつ、横向き接続部と内曲面とがなく、その代り、横向き開口部を形成した形状とし、該開口部の下端を該内副管の内径側に位置させて平面視で略新月状ないし楕円状の排水落下穴を形成し、該穴の短径ｄ1 を該内副管の径ｄ0 に対し、約０．３×ｄ0 以下にすること、および／または、前記開口部の下端を、その内面の接線Ｑの傾きθを約１０°ないし約３０°にすること、を特徴とする内副管付合成樹脂製排水ますにある。
【発明の効果】
【００１０】
本発明によると、開蓋時に取出し自在にコンパクト化しながら、しかも、生産コストや部品点数を増やさず簡素化したままで新発見の課題たる逆流をなくすことができる。
【発明を実施するための最良の形態】
【００１１】
本発明を別紙図面に示す実施例により詳細に述べる。
【００１２】
図１は本発明の適用例の概要図であって、前掲の特許文献２にも示しており、図２は図１の本実施例の要部断面詳細図、図３は図２の要部詳細図で、（Ａ）は正面図、（Ｂ）は（Ａ）の管軸を通る断面図である。
（本発明の適用例の概要）
本発明を適用した実施例の屋外の合流式排水ます（公共ますを含む）１は、特に、建屋の基礎コンクリ−ト近傍に設置する小口径排水ますであって、全体が合成樹脂製、特に塩ビ射出成形製であり、その主要寸法は、屋内排水管、すなわち排水枝管２の口径が７５ｍｍφから１００ｍｍφ、屋外排水主管（３）、すなわち排水管３の口径が１００ｍｍφから１５０ｍｍφ、ます口径が１５０ｍｍφから２００ｍｍφのものに好都合に適用される。
【００１３】
この排水ます１は、上方の点検筒部材４と下方のインバ−ト部材５と、から主として構成されており、点検筒部材４に直接、流入口たる受口６が横向きに一体成形され、これに前記排水枝管２を挿入するようになっている。
【００１４】
インバ−ト部材５のインバ−ト７は、段差８付の合流式インバ−トになっていて、屋外の排水主管（３）の上、下流側９、１０がストレ−ト状に接続される。
【００１５】
したがって、このインバ−ト７は段差付ストレ−ト型合流式インバ−トということができる。勿論、このインバ−ト７は４５°インバ−ト等でもよい。
【００１６】
また、この種の排水ますの埋設深さは、公共ます（不図示）の深さが条例等で略決められ、かつ、前記屋外排水主管（３）の勾配が決められていること、更に、屋外排水主管（３）の最小土被りも２０ｃｍと決められており、しかも、建屋の防湿コンクリ−ト１１は地表ＧＬより約２０ｃｍ高く打設することが決められいることから、総じて、防湿コンクリ−ト１１上に設けられた屋内排水主管１２と前記屋外排水主管（３）とは段差接合（落差接合）で接続することになる。
【００１７】
すなわち、防湿コンクリ−ト１１上に設けた屋内排水主管１２は屋内にて、下向きの第１の４５°エルボ１３、４５°傾斜管１４、上向きの第２の４５°エルボ１５、フ−チング基礎１６に立設した布基礎１７を貫通した第１の横管１８および９０°曲管１９、更には第２の横管、すなわち排水枝管２等からなる緩やかな段差接合構造を介して排水ます１に接続して、この落差の一部を担持している。
【００１８】
そして、この落差の残部は、この排水ます１を内副管付排水ますに構成して担持している。
（本実施例の排水ますの概要）
この排水ます１は、前記のように点検筒部材４とインバ−ト部材５とからなり、その中間にます用高さ調節部材２０を介在しており、この点検筒部材４の上端部には高さ調節自在の密閉式開閉蓋２１を設けている。
【００１９】
この排水ます１では、ゴム輪受口たる受口６から流入する排水を屋外排水主管（３）へ落差をもって流下させ、その流れを円滑にするため、受口６に接続する内副管２２を内蔵している。
【００２０】
この内副管２２は、掃除・点検等のため、開閉蓋２１の開蓋時に取出し・取付ができるように着脱自在に構成し、そのため全体をコンパクトに構成している。
【００２１】
したがって、この内副管２２に用いるエルボは、前記のように弯曲した外曲面２８はあるが、弯曲した内曲面のない、いわゆる小曲りエルボに構成しているので、コンパクトになっている。
【００２２】
すなわち、この内副管２２はバッフル用９０°エルボ体２３と、内副管用高さ調節部材２４と、本実施例の主要部である略９０°エルボ２５とから構成している。
【００２３】
この略９０°エルボ２５は、常に排水管３の下流側１０に向け開口しているが、バッフル用９０°エルボ体２３、ひいては受口６は、図示のように排水管３の下流側１０に向け開口し、したがって、排水管３と排水枝管２とが平行になっており（これをＵタ−ン配管という）、この場合の流れａはＵタ−ンさせている。
【００２４】
また、図示しないが、この受口６を排水管３に直交して設けてもよい（これを９０°配管という）。この場合の流れａは平面視で約９０°変換させている。
【００２５】
なお、１つの内副管２２に２つの受口６を各接続させて、これらの受口から合流して流下させるようにしてもよい。
（本発明の主要部）
ここにおいて、本発明の課題を解決するため、すなわち、特に、集合一括排水設備と宅内の排水管３とを段差接合により接続するのに用いる内副管２２付排水ます１において、該内副管２２から出る排水をインバ−ト７から排水管３の上流側９へ逆流させないため、試行錯誤したところ、内副管２２を出た排水が排水ます１のインバ−ト７やます立上り部位２９に衝突して跳ね返ることにより、この逆流現象が生じる、ということを発見し、本発明が創作された。
【００２６】
例えば、前掲の特許文献２に示すＵタ−ン助勢案内部材と称する略９０°エルボでは、後記詳細の平面視の排水直接落下穴の短径ｄ1 が内副管（２２）の内径の約半分を占め、内副管（２２）を流下する大量の排水が直接インバ−ト（７）に当り、これが跳ね返って、排水管３の上流側９へ逆流している、という問題を発見した。
【００２７】
そこで、内副管２２の下端に設けている略９０°エルボ２５の形状のみを各種変化させ（したがって、部品点数や生産コストをそのままにして）試行錯誤したところ、次のような逆流防止に到達した。但し、この試行錯誤に際しては、次の（Ａ）（Ｂ）（Ｃ）を前提としている。
【００２８】
（Ａ）内副管２２は点検筒部材４（ます本体）と略同心状に位置させること。したがって、開閉蓋２１を開いて点検掃除等をする際、ます本体の全内壁が視認できるし、内副管２２の着脱も容易になり、受口６を２つます本体でも１つの内副管で構成できる、という特長をもっている。
【００２９】
（Ｂ）略９０°エルボ２５の開口部２６の下端高さｈ1 は、排水管３の管軸Ｐより上方に位置させること。したがって、開口部２６の上端高さｈ2 は排水管３の管頂より上方に位置することになり、排水管３の上流側９の排水が、たとえ最大設計流量（半管流）の流れでも支障なく流れ、また、上流側からの掃除棒等も当接しにくいという特長をもっている。
【００３０】
これに反して、開口部２６の上端側の流れは、インバ−ト部材５の上向き開口部位、すなわち、ます立上り部位２９に当り、これが跳ね返って逆流しようとするので、この逆流をも可及的に抑制する必要がある。
【００３１】
（Ｃ）次の大きさの排水ます１を代表的な試験例にした。排水管３の口径を１００ｍｍφ、排水枝管２の口径を７５ｍｍφ、段差８の高さを３０ｍｍ、開口部２６の下端高さｈ1 をインバ−ト７より上方に７０ｍｍ、開口部２６の上端高さｈ2 をこれより更に７４ｍｍ上方にした。
【００３２】
さて、かかる前提のもとに、本実施例の略９０°エルボ２５の形状を次のようにしている。
【００３３】
すなわち、一般の標準的なＤＬと略称されている９０°エルボの流入側受口（上向きの接着接合用ＴＳ受口たる開口部をいう）２７はそのままにして、流出側受口（不図示であるが、流入側受口に直交した横向きの接着接合用ＴＳ受口たる開口部をいう）をこの受口側のみ切管して除き、その代り、横向き開口部２６を形成している。
【００３４】
勿論、本明細書記載の切管とは、完成したＤＬエルボをカッタ−により切断するのではなく（含めても可）、切管したような形状に射出成形することをいう。
【００３５】
この切管形状にするに際し、開口部２６の下端を側面視で内副管２２の内側になるように、したがって平面視の排水直接落下穴の短径ｄ1 を構成するように切管し、内副管２２を流下する排水が直接インバ−ト７へ衝突する量を抑制している。
【００３６】
そのため、流入口側受口２７に接着接合する管体、つまり、内副管口径ｄ0 より内径側にｄ1 だけづらして切管し、平面視の該穴の短径ｄ1 をもつ略楕円状ないし新月状の平面視での排水直接落下空間、つまり穴を形成している。
【００３７】
したがって、一般のＤＬと略称される９０°エルボの外曲面２８は殆ど残し、勿論、内曲面はなく、内副管２２を流下する殆どの排水はインバ−ト７へ直接衝突せず、排水管３の下流側１０へ略９０°変換誘導して流れるようにしている。
【００３８】
また、この開口部２６の下端における外曲面２８の内面の接線Ｑの傾きθを約２０°にしている（したがって、この場合の切管は垂直線に対し５°傾けて切管し、ひいては外曲面２８の曲率半径を約１４０ｍｍとなっている）。
【００３９】
すなわち、接線Ｑの傾きθを零、すなわち外曲面２８の内面の向きを水平にすると、内副管２２を流下する排水がます立上り部位２９に大量に衝突し、これにより上流側９へ逆流する原因となるから下方に傾けている。
【００４０】
つまり、ます立上り部位２９への跳ね返りを少なくしている。特に、ます立上り部位２９へ衝突しようとする流れを、可及的に平面視の該穴によって下方に誘導して衝突を抑制している。
【００４１】
そして、この開口部２６を形成するために平面視の該穴の短径ｄ1 を内副管口径ｄ0 に応じて各種選定した。
【００４２】
すなわち、本試験では、特に、平面視の該穴の短径ｄ1 を０×ｄ0 、０．３×ｄ0 、０．５×ｄ0 の３つを選び、これらの排水直接落下穴の状態をもとに、外曲面２８の下端の内面の接線Ｑの傾きθを種々変更させて逆流状態をみたところ、次の代表的な表１、２の結果を得た。
【００４３】
【表１】
2006144254.tif 000003
【００４４】
【表２】
2006144254.tif 000004
△…少々逆流あり（跳ね返りによる）
○…殆ど逆流しない（スム−ズに流下）
▽…逆流大
したがって、例えば集合一括排水設備において、かかる○印のついた、排水直接落下穴の短径ｄ1 を内副管２２の径の３割以下とする略９０°エルボ２５を用いると、例えば風呂水を満管流で排水枝管２へ流し、排水管３の上流側９からトイレ排水をこの排水ます１に合流させても、全体としてスム−ズな流れにすることができた。もし、この風呂水が逆流すれば、トイレ汚水の固形物がフラッシュアウトせず滞留し、異臭の原因となる。
【００４５】
なお、かかる略９０°エルボ２５の形状をそのままにして、段差８のない排水ます（１）や内副管２２の開口部２６の下端を排水管３の管軸Ｐより下方に位置させて適用しても、逆流や跳ね返り現象は抑制された。
【００４６】
なおまた、開口部２６の下端の内面の接線Ｑの傾きθを３５°にすると、急傾斜となり、インバ−ト７へ直接衝突し逆流防止としては好ましくないし、この３５°では曲率半径が大となりエルボとしても好ましくない。
【００４７】
更になお、この接線Ｑの傾きθは、外曲面２８全体を円弧の一部で構成すると、その曲率半径によって決まるので、この略９０°エルボ２５では、外曲面２８の下端内面の接線Ｑの傾きθと、平面視の楕円状の排水直接落下穴の短径ｄ1 のｄ0 に対する割り合とは、夫々単独で構成しても、逆流防止には資することが判明した。
【００４８】
例えば、内副管２２の口径を７５ｍｍφにした場合で、外曲面２８の内面の接線Ｑの傾きθを２０°にした場合、平面視の楕円状の排水直接落下穴は形成せず、外曲面２８の先端は、約１０ｍｍ舌片状に出張るが、この場合でも接線Ｑの傾きθの選定のみで逆流防止の効果はあった。
【図面の簡単な説明】
【００４９】
【図１】本発明の適用例である。
【図２】本発明の実施例の断面図である。
【図３】図２の要部図で、（Ａ）は正面図、（Ｂ）は（Ａ）の管軸断面図である。
【符号の説明】
【００５０】
１  排水ます
２２  内副管
２５  略９０°エルボ
２６  開口部
Ｑ  接線
θ  傾き
【図１】
2006144254.tif 000005
【図２】
2006144254.tif 000006
【図３】
2006144254.tif 000007